(57)【要約】【課題】両手に手袋を装着しなくても手全体を暖かく包み込むとともに、機能的に携帯情報端末の視聴と操作を可能にし、持ち運びにも優れた構造を持つ携帯情報端末用ハンドウォーマーを提供する。【解決手段】携帯情報端末用ハンドウォーマー１は、両端に開口部を持った筒状のマフ２に透明窓３を設け、ケーブルを挿入するスリット５を備え、冬場の寒い時期でもスマートフォンやタブレット等の携帯情報端末を暖かい環境で操作ができ、つけ爪の女性にも好適に使用できる。【選択図】図１
2019196551.tif 000002
【特許請求の範囲】
【請求項１】
両端に開口部を持った筒状のマフ（２）であって、透明窓（３）を備えることを特徴とする携帯情報端末用ハンドウォーマー。
【請求項２】
請求項１に記載の携帯情報端末用ハンドウォーマー（１）において、透明窓（３）を中央付近に配置し、マフ（２）内は十分な操作スペースを有し、マフ内の任意な位置で操作が可能となることを特徴とする携帯情報端末用ハンドウォーマー。
【請求項３】
請求項１または２に記載の携帯情報端末用ハンドウォーマー（１）において、透明窓（３）は、外側より携帯情報端末の操作が可能な素材を使用することを特徴とする携帯情報端末用ハンドウォーマー。
【請求項４】
請求項１〜３のいずれか一つの請求項に記載の携帯情報端末用ハンドウォーマー（１）において、透明窓（３）は、携帯情報端末のブルーライトを軽減する素材を使用することを特徴とする携帯情報端末用ハンドウォーマー。
【請求項５】
請求項１〜４のいずれか一つの請求項に記載の携帯情報端末用ハンドウォーマー（１）において、透明窓（３）は、携帯情報端末の画面を拡大する拡大鏡の素材を使用することを特徴とする携帯情報端末用ハンドウォーマー。
【請求項６】
請求項１〜５のいずれか一つの請求項に記載の携帯情報端末用ハンドウォーマー（１）において、透明窓（３）を多角形、あるいは円形、または楕円形に形成させることを特徴とする携帯情報端末用ハンドウォーマー。
【請求項７】
請求項１〜６のいずれか一つの請求項に記載の携帯情報端末用ハンドウォーマー（１）において、携帯情報端末用ケーブルの挿入口  または、引き出し口としてスリット（５）を設けることを特徴とする携帯情報端末用ハンドウォーマー。
【請求項８】
請求項１〜７のいずれか一つの請求項に記載の携帯情報端末用ハンドウォーマー（１）において、肩掛け、腕掛け  及び、腰などの体への取り付け用として、紐（２１）の接続を可能とするフック（２２）を設けることを特徴とする携帯情報端末用ハンドウォーマー。
【請求項９】
請求項１〜８のいずれか一つの請求項に記載の携帯情報端末用ハンドウォーマー（１）において、両端の開口部にスライドファスナー（３１）を設け、鞄の機能を備えることを特徴とする携帯情報端末用ハンドウォーマー。
【発明の詳細な説明】
【技術分野】
【０００１】
本発明は、防寒具として手全体を暖かく包み込み、携帯情報端末を機能的に操作するのに好適な携帯情報端末用ハンドウォーマーに関する。
【背景技術】
【０００２】
携帯情報端末を操作する場合の防寒具としては、導電性素材を利用した手袋や操作する指を露出させる構造となった手袋を用いることが一般的となっている。また、この種の防寒用携帯電話用手袋として公知である（特許文献１）は、筒状の手袋であって、携帯電話の操作部と手首部を隙間なくフィットする絞り部を有し、操作部が見えるように透明のビニールの窓がついている。
【先行技術文献】
【特許文献】
【０００３】
【特許文献１】特開２００９−２９９２４６
【発明の概要】
【発明が解決しようとする課題】
【０００４】
前記のような手袋は、携帯情報端末を操作するのに不自由なく使用できる。しかしながら、付け爪をしている場合は、手袋の指先先端に爪が突き当たるため使用できない。また、指先を露出させる構造となった手袋は、指先が寒いままでの操作となる課題がある。
【課題を解決するための手段】
【０００５】
本発明に係る携帯情報端末用ハンドウォーマー１は、両端に開口部４を持った筒状のマフ２に透明窓３を形成する。マフ２は手首から手全体と携帯情報端末を一緒に包み込む構造とする。また、前記透明窓３をセンター付近に配置し、十分な操作スペースを有している。前記透明窓３は、外側より携帯情報端末の操作が可能な素材を使用している。前記透明窓３は、携帯情報端末から発生するブルーライトを軽減する素材を使用している。前記透明窓３は、画面を拡大する拡大鏡の素材を使用している。前記透明窓３は、多角形、あるいは円形、または楕円形に形成している。本発明の携帯情報端末用ハンドウォーマー１には、ケーブルの挿入口としてスリット５を設けている。本発明の携帯情報端末用ハンドウォーマー１には、肩掛け、腕掛け  及び、腰などの体への取り付け用として、紐２１の接続を可能とするフック２２を設けている。本発明の携帯情報端末用ハンドウォーマー１には、両端の開口部にスライドファスナー３１を設けており、鞄の機能を備えている。
【発明の効果】
【０００６】
本発明においては、筒状のマフ２で手全体を暖かく包み込むため、手全体が暖かく保たれた状態で透明窓３を透して携帯情報端末の操作と視聴が可能となる。
【図面の簡単な説明】
【０００７】
【図１】本発明の実施形態１に係る携帯情報端末用ハンドウォーマーの斜視図である。
【図２】図１の携帯情報端末用ハンドウォーマーにおいて、軟質素材の透明窓を採用した場合の取付構造を記したＡ−Ａ線断面図である。
【図３】図１の携帯情報端末用ハンドウォーマーにおいて、硬質素材の透明窓を採用した場合  および、拡大鏡を用いた場合の取付構造を記したＡ−Ａ線断面図である。
【図４】図１の携帯情報端末用ハンドウォーマーにおいて、硬質素材の透明窓を採用し、ブルーライト軽減フィルムを貼り付けた場合の取付構造を記したＡ−Ａ線断面図である。
【図５】本発明の実施形態１に係る携帯情報端末用ハンドウォーマーの使用状態を示す斜視図である。
【図６】本発明の実施形態２に係る携帯情報端末用ハンドウォーマーを横方向で使用する場合の斜視図である。
【図７】本発明の実施形態３に係る携帯情報端末用ハンドウォーマーを横方向で使用する場合の斜視図である。
【発明を実施するための形態】
【０００８】
以下、本発明の実施の形態に係る携帯情報端末用ハンドウォーマーについて、図面を参照しつつ説明する。
【０００９】
（実施形態１）
図１〜図５は、本発明の実施形態１に係る携帯情報端末用ハンドウォーマー１を示している。携帯情報端末用ハンドウォーマー１は、両端に開口部を持った筒状のマフ２の中央付近に携帯情報端末の画面全体を見ることのできる透明窓３が取り付けられ、２〜６箇所のスリット５を設けている。
【００１０】
前記マフ２について説明する。材料としては、ニット、毛糸、皮、合成皮革などが使用できる。できれば、防水効果のある材料が好ましい。大きさについて、まず手を挿入する奥行きについては、片方の手で携帯情報端末を持ち、もう片方の手で操作をするに当たり、服の袖がマフ内に収まるだけの余裕を持った寸法が必要である。（例えば３００ｍｍ〜６００ｍｍ程度）次に、開口部および、マフ本体の幅については、片手に携帯情報端末を持った状態で開口部に挿入ができること。また、手で携帯情報端末を持ち、もう片方の手で操作をする一般的な使い方で圧迫感の無い操作スペースが確保できる寸法が望ましい。（例えば２００ｍｍ〜３００ｍｍ程度）手首から隙間なくすっぽりと包み込むことで外気に手が触れることなく素手で操作できるので寒い冬の外出時、例えば野球やサッカーなどのスポーツ観戦時や駅での電車の待ち時間において携帯情報端末の操作を快適に行える。
【００１１】
次に前記透明窓３について説明する。透明窓３の取り付け位置は、中心付近が望ましい。形状は、デザインや用途に合わせて多角形、あるいは円形、または楕円形のいずれかの形に形成させる。材質は、用途に合わせて軟質素材や硬質素材を選択する。使用材料の例として、軟質素材としては、透明なポリ塩化ビニル（ＰＶＣ）を使用する。また、硬質素材としては、透明なプラスチックを使用する。なお、携帯情報端末用ハンドウォーマー１の外側から携帯情報端末の操作が可能としているが、素材の厚さや材質によっては、操作の可否が発生するので注意が必要である。また、透明窓３の素材は、上記記載のものに限定するものではない。
【００１２】
次にマフ２に透明窓３を取り付ける方法を説明する。マフ２に透明窓３を取り付けるための穴を切り抜き、切り抜いた穴にバイアステープ６を使ってパイピング処理を施す。次に透明窓３の取付となるが、透明窓３の素材によって縫い合せに使用する針が貫通できない場合があるため、以降の加工が異なってくる。まず軟質素材の場合、針が素材を貫通できるため、図２の様にバイアステープ６を透明窓に被せてマフ２と透明窓３を一緒にバイアステープ縫い合せ糸７で縫い合せる。次に硬質素材の場合、針が素材を通さないため、図３  及び、図４の様に透明窓３にドーナッツ形状に切り抜いた取付布８を縫い合せるための針穴を明けた後、透明窓３を取付布８に取付布縫い合せ糸９で縫い合せ、取付布８をマフ２のパイピング加工部にバイアステープ縫い合せ糸７で縫い合せる。また、取付を接着剤で貼り合わせることも可能であり、取付布縫い合せ糸９で縫い合せて加工した内容を接着剤に置き換えて結合加工を施すものとする。またバイアステープ６と取付布８の生地は、布や皮や合成樹脂などに置き換えることもできる。
【００１３】
次にスリット５について説明する。スリット５は、ケーブルの挿入口  または、引き出し口として設ける。このスリット５は、携帯情報端末に接続するケーブルが余裕を持って挿入できる大きさとし、暖気が逃げない様に遮へいする構造が必要である。マフ構造にするための縫い合せ部に設ければ無駄な加工が不要となる。このスリット５を設けることにより、携帯情報端末にイヤホンや充電器などを接続して使用することが可能になる。
【００１４】
図４は、実施状態１に係る携帯情報端末用ハンドウォーマー１の断面図を示している。この形態は、実施形態１の携帯情報端末用ハンドウォーマー１の透明窓３の材質を硬質素材で加工する場合、または、透明窓３を拡大鏡に置き換える場合の実施形態である。拡大鏡は、フレネルレンズ製品を採用し、透明窓３と同じ外形形状に加工して用いる。透明窓３および、拡大鏡のマフ２への取り付けは、実施形態１の携帯情報端末用ハンドウォーマー１と同様に施す。また、使用方法は、拡大鏡と携帯情報端末の画面までの距離を変化させたり、携帯情報端末の画面視野角度を変えて好みの視覚状態にする。拡大鏡を装着することにより、画面を大きく映すことが可能となり、見る位置が離れた不備を補うことができる。
【００１５】
図５は、実施状態１に係る携帯情報端末用ハンドウォーマー１の断面図を示している。この形態は、実施形態１の携帯情報端末用ハンドウォーマー１にブルーライト軽減フィルム１０の機能を追加することにより、健康面でも好適に用いることができる。透明窓３は硬質素材のものを採用し、携帯情報端末用ハンドウォーマー１の外側面にブルーライト軽減フィルム１０を貼り付ける。貼り付け位置としては、取付布８よりも中心側に施す。携帯情報端末側にブルーライト軽減フィルムを施していなくても、ブルーライトの影響を軽減できる効果が期待できる。
【００１６】
（実施形態２）
図６は、実施状態２に係る携帯情報端末用ハンドウォーマー２０を示している。この形態に係る携帯情報端末用ハンドウォーマーは、実施形態１の携帯情報端末用ハンドウォーマー１に機能を追加することにより好適に用いることができる。携帯情報端末用ハンドウォーマー１の４辺の角または、任意の位置に引っ掛け用のフック２２を取り付ける。このフック２２に紐２１を取り付ける。この紐２１の長さを用途に合わせて調整することにより、肩に掛けたり、腕に提げたり、または、腰など体に装着することができる。また、紐２１の取り付ける位置によって、横型から縦型にも構成を変えることが出来る。紐２１は、ベルトや鎖などに置き換えてもよい。
【００１７】
（実施形態３）
図７は、実施状態３に係る携帯情報端末用ハンドウォーマー３０を示している。この形態に係る携帯情報端末用ハンドウォーマーは、実施形態１の携帯情報端末用ハンドウォーマー１に機能を追加することにより好適に用いることができる。携帯情報端末用ハンドウォーマー１のスリット側を上方向に向けた状態で、マフ２の両側の開口部にスライドファスナー３１を設ける。このスライドファスナー３１を閉めることにより、携帯情報端末や小物などを収納する鞄としても使用することが可能である。
【００１８】
（他の実施形態）
本発明に係る携帯情報端末用ハンドウォーマー１は、前記の実施形態以外にも他の様々な形で実施することができる。例えば、透明窓３を表に向けてひざ掛けとして使用すれば、防寒対策として有効である。また、ひざ掛けに組み込めば、ひざ掛けと携帯情報端末用ハンドウォーマーが一体となり、より防寒効果が高くなる。
【符号の説明】
【００１９】
１、２０、３０  携帯情報端末用ハンドウォーマー
２  マフ
３  透明窓
４  開口部
５  スリット
６  バイアステープ
７  バイアステープ縫い合せ糸
８  取付布
９  取付布縫い合せ糸
１０  ブルーライト軽減フィルム
２１  紐
２２  フック
３１  スライドファスナー
４１  携帯情報端末
４２  ケーブル
４３  手
【図１】
2019196551.tif 000003
【図２】
2019196551.tif 000004
【図３】
2019196551.tif 000005
【図４】
2019196551.tif 000006
【図５】
2019196551.tif 000007
【図６】
2019196551.tif 000008
【図７】
2019196551.tif 000009